(57)【特許請求の範囲】
【請求項１】
光源と、
前記光源を点灯又は消灯させる光源駆動部と、
入力画像信号に基づいて表示画像用の画像信号を生成する画像信号処理部と、
前記画像信号処理部により生成された画像信号に基づき、前記光源から射出された光束を変調する光変調部と、
前記光変調部により変調された光束を拡大投写する投写光学系と、
記憶部と、
前記光源の交換検出信号が入力される制御部と、
操作内容に応じた操作信号を入力するための操作部と
を備え、
前記操作部が光源交換操作信号を入力したとき、前記制御部に前記交換検出信号が入力され、
前記制御部は、
前記光源の点灯時間の累積値を計測し、該点灯時間の累積値情報を前記記憶部に記憶させ、
前記交換検出信号が入力される度に、前記点灯時間の累積値情報及び当該累積値の識別情報を交換履歴情報として前記記憶部に記憶させ、
前記交換履歴情報を表示する画像信号を前記画像信号処理部に生成させ、
前記操作部が交換履歴入替選択の操作信号を入力したとき、前記交換履歴情報のうち、前記操作信号により選択された前記点灯時間の累積値情報を、当該光源の点灯時間の累積値情報として記憶させることを特徴とするプロジェクタ。
【請求項２】
前記制御部は、
前記操作部が交換履歴入替選択の操作信号を入力したとき、
前記記憶部に記憶された前記点灯時間の累積値情報及び当該累積値の識別情報を交換履歴情報として前記記憶部に記憶させ、
前記交換履歴情報のうち、前記操作信号により選択された前記点灯時間の累積値情報を、当該光源の点灯時間の累積値情報として記憶させることを特徴とする請求項１記載のプロジェクタ。
【請求項３】
前記制御部は、
選択された前記点灯時間の累積値情報を、当該光源の点灯時間の累積値情報として記憶させた後、前記交換履歴情報のうち、当該点灯時間の累積値の情報及び当該累積値の識別情報を削除することを特徴とする請求項１又は２記載のプロジェクタ。
【請求項４】
前記制御部は、
前記点灯時間の累積値情報及び当該累積値の識別情報を交換履歴情報として前記記憶部に記憶させた後、前記点灯時間の累積値情報をリセットすることを特徴とする請求項１〜３の何れかに記載のプロジェクタ。
【請求項５】
前記累積値の識別情報は、前記交換検出信号が入力されたときの日時情報であることを特徴とする請求項１〜４の何れかに記載のプロジェクタ。
【請求項６】
光源からの光を変調して画像を投写するプロジェクタの制御方法であって、
前記光源の点灯時間の累積値を計測し、該点灯時間の累積値情報を記憶するステップと、
前記光源の交換検出信号を取得するステップと、
前記交換検出信号を検出する度に、前記点灯時間の累積値情報及び当該累積値の識別情報を交換履歴情報として記憶するステップと、
記憶された前記交換履歴情報を含む画像を投写するステップと、
操作部からの交換履歴入替選択の操作信号を検出したとき、前記交換履歴情報のうち、前記操作信号により選択された前記点灯時間の累積値情報を、当該光源の点灯時間の累積値情報として記憶するステップと
を有することを特徴とするプロジェクタの制御方法。
【発明の詳細な説明】
【技術分野】
【０００１】
本発明は、光源の点灯時間を計測するプロジェクタ及びその制御方法に関する。
【背景技術】
【０００２】
従来の技術としては、例えば特許文献１に「ランプで発光した光を液晶で変調し、投写表示する液晶プロジェクタにおいて、前記ランプと、前記ランプの点灯時間を記憶するメモリとを有するランプユニットが、着脱可能に設けられることを特徴とする液晶プロジェクタ。」が提案されている（例えば、請求項１を参照）。
【０００３】
【特許文献１】特開２０００−２６７０６１号公報
【発明の開示】
【発明が解決しようとする課題】
【０００４】
従来、プロジェクタのランプの交換寿命をユーザーに知らせるため、ランプの点灯時間をプロジェクタの内部メモリに保持し、点灯時間が所定値に達した場合に所定のメッセージなどを表示させて、ユーザーにランプの交換を促している。この内部メモリに保持された点灯時間の情報は、ランプ交換時にメモリをリセットすることにより点灯時間をクリアし、使用するランプ毎に点灯時間を計測する方法が使われている。
【０００５】
しかしながら、ランプ交換を行う度に点灯時間をクリアするため、過去に使用したランプの点灯時間を把握することができない、という問題点があった。
例えば、ランプが寿命前に切れてしまったとき、ランプ以外の回路に原因がある場合には、ランプを交換しても再度寿命前に切れてしまうこともある。その場合、過去に使用したランプの点灯時間の情報はクリアされているので、過去にどのくらい点灯していたか分からず、故障の原因を特定することができない。
【０００６】
また、例えば修理・点検などで一旦新品のランプに交換して使用した後、再度、交換前の元のランプを使用する場合など、ランプを交換した後に、再度交換前のランプを使用する場合、当該交換前の点灯時間はクリアされてしまうので、点灯時間の累積値を計測することができない、という問題点があった。
【０００７】
また、上記特許文献１には、ランプユニットに点灯時間を記憶するメモリを持たせる方法が提案されているが、ランプユニットごとにメモリを付加する必要があり、ランプユニットのコストが上がってしまう、という問題点があった。
【０００８】
本発明はこのような課題を解決するためになされたものであり、ランプのコストを上げること無く、過去に使用したランプの点灯時間を把握することができ、ランプを交換した後、再度交換前のランプを使用する場合であっても、当該ランプの点灯時間の累積値を計測することができるプロジェクタ及びその制御方法を得ることを目的とする。
【課題を解決するための手段】
【０００９】
本発明に係るプロジェクタは、光源と、前記光源を点灯又は消灯させる光源駆動部と、入力画像信号に基づいて表示画像用の画像信号を生成する画像信号処理部と、前記画像信号処理部により生成された画像信号に基づき、前記光源から射出された光束を変調する光変調部と、前記光変調部により変調された光束を拡大投写する投写光学系と、記憶部と、前記光源の交換検出信号が入力される制御部と、操作内容に応じた操作信号を入力するための操作部とを備え、前記操作部が光源交換操作信号を入力したとき、前記制御部に前記交換検出信号が入力され、前記制御部は、前記光源の点灯時間の累積値を計測し、該点灯時間の累積値情報を前記記憶部に記憶させ、前記交換検出信号が入力される度に、前記点灯時間の累積値情報及び当該累積値の識別情報を交換履歴情報として前記記憶部に記憶させ、前記交換履歴情報を表示する画像信号を前記画像信号処理部に生成させ、前記操作部が交換履歴入替選択の操作信号を入力したとき、前記交換履歴情報のうち、前記操作信号により選択された前記点灯時間の累積値情報を、当該光源の点灯時間の累積値情報として記憶させるものである。
本発明においては、交換検出信号が入力される度に、点灯時間の累積値情報及び当該累積値の識別情報を交換履歴情報として記憶させ、交換履歴情報を表示するので、過去に使用した光源の点灯時間の累積値を把握することができる。また、光源にメモリを付加する必要が無いので、コストを上げることなく過去に使用した光源の点灯時間を把握することができる。尚、光源としては、ランプ、発光ダイオードおよびレーザダイオード等がある。
【００１０】
また、操作部が光源交換操作信号を入力したとき、前記交換検出信号が入力されるので、ユーザーの操作により、点灯時間の累積値情報及び当該累積値の識別情報を交換履歴情報として記憶させることができる。
【００１１】
また、交換履歴情報のうち、選択された点灯時間の累積値情報を、当該光源の点灯時間の累積値情報として記憶させるので、光源を交換した後、再度交換前の光源を使用する場合であっても、当該光源の点灯時間の累積値を計測することができる。
【００１２】
本発明に係るプロジェクタにおいては、前記制御部は、前記操作部が交換履歴入替選択の操作信号を入力したとき、前記記憶部に記憶された前記点灯時間の累積値情報及び当該累積値の識別情報を交換履歴情報として前記記憶部に記憶させ、前記交換履歴情報のうち、前記操作信号により選択された前記点灯時間の累積値情報を、当該光源の点灯時間の累積値情報として記憶させるものである。
本発明においては、交換履歴情報のうち、選択された点灯時間の累積値情報を、当該光源の点灯時間の累積値情報として記憶させるので、光源を交換した後、再度交換前の光源を使用する場合であっても、当該光源の点灯時間の累積値を計測することができる。また、操作部が交換履歴入替選択の操作信号を入力したとき、点灯時間の累積値情報及び当該累積値の識別情報を交換履歴情報として記憶部に記憶させるので、複数の光源を使用する場合であっても、各光源の点灯時間の累積値を計測することができる。
【００１３】
本発明に係るプロジェクタにおいては、前記制御部は、選択された前記点灯時間の累積値情報を、当該光源の点灯時間の累積値情報として記憶させた後、前記交換履歴情報のうち、当該点灯時間の累積値の情報及び当該累積値の識別情報を削除するものである。
本発明においては、交換履歴情報のうち、当該光源の点灯時間の累積値情報として記憶させた点灯時間の累積値の情報及び当該累積値の識別情報を削除するので、現在使用している光源の点灯時間の累積値情報を交換履歴情報から削除することができる。
【００１４】
本発明に係るプロジェクタおいては、前記制御部は、前記点灯時間の累積値情報及び当該累積値の識別情報を交換履歴情報として前記記憶部に記憶させた後、前記点灯時間の累積値情報をリセットするものである。
本発明においては、交換検出信号が入力されて、点灯時間の累積値情報及び当該累積値の識別情報を交換履歴情報として記憶させた後、点灯時間の累積値情報をリセットするので、光源が交換されたときに点灯時間の累積値をリセットすることができる。
【００１５】
本発明に係るプロジェクタにおいては、前記累積値の識別情報は、前記交換検出信号が入力されたときの日時情報である。
本発明においては、交換履歴情報として記憶させた点灯時間の累積値情報を、日時情報により識別することができる。
【００１６】
本発明に係るプロジェクタの制御方法は、光源からの光を変調して画像を投写するプロジェクタの制御方法であって、前記光源の点灯時間の累積値を計測し、該点灯時間の累積値情報を記憶するステップと、前記光源の交換検出信号を取得するステップと、前記交換検出信号を検出する度に、前記点灯時間の累積値情報及び当該累積値の識別情報を交換履歴情報として記憶するステップと、記憶された前記交換履歴情報を含む画像を投写するステップと操作部からの交換履歴入替選択の操作信号を検出したとき、前記交換履歴情報のうち、前記操作信号により選択された前記点灯時間の累積値情報を、当該光源の点灯時間の累積値情報として記憶するステップとを有するものである。
本発明においては、交換検出信号を検出する度に、点灯時間の累積値情報及び当該累積値の識別情報を交換履歴情報として記憶し、交換履歴情報を含む画像を投写するので、過去に使用した光源の点灯時間を把握することができる。
【発明を実施するための最良の形態】
【００１７】
実施の形態１．
図１は実施の形態１に係るプロジェクタの構成を示すブロック図である。図に示すように、プロジェクタ１は、光源であるランプ１１と、光変調部である液晶ライトバルブ１２Ｒ，１２Ｇ，１２Ｂ（以下、区別しない場合は単に「液晶ライトバルブ１２」という。）と、投写光学系１３と、液晶ライトバルブ駆動部１４と、制御部２０と、画像入力部３１と、画像信号処理部３２と、フレームメモリ３３と、ランプ駆動部であるバラスト４０と、操作パネル４１と、リモコン受光部４２と、操作信号処理部４３と、記憶部４４と、時計部５０と、電源部６０とを備えている。このプロジェクタ１は、外部接続機器２から供給される入力画像信号に応じた画像光を投射して、スクリーン、白壁又はホワイトボード等の被投写体（以下「スクリーンＳＣ」という。）に拡大投写するものである。
【００１８】
制御部２０は、画像入力部３１、画像信号処理部３２、バラスト４０、操作信号処理部４３、記憶部４４、時計部５０、及び電源部６０と接続され、プロジェクタ１の動作を統括制御する。この制御部２０は、マイクロプロセッサ等により構成され、記憶部４４に記憶された制御プログラム等を実行して、制御部２０に接続された各部から入力される各種データを演算するとともに、演算結果を前記各部に出力する。また、後述する動作により、ランプ１１の点灯時間の累積値の計測、及び累積値情報と交換履歴情報との入れ替え動作を行う。
【００１９】
画像入力部３１は、外部接続機器２と接続する１又は複数の接続端子を備え、外部接続機器２から入力される１又は複数の入力画像信号を取り込んで、それが例えばアナログ画像信号の場合にはデジタルの画像信号に変換する等の処理をして、画像信号処理部３２に出力する。尚、画像入力部３１が備える接続端子としては、例えば、ＲＧＢ端子、ＢＮＣ端子、Ｓ端子、ビデオ端子、ＤＶＩ端子などを備え、パーソナルコンピュータや各種ビデオ機器、ＤＶＤ再生機器などと接続される。
【００２０】
画像信号処理部３２は、例えばマイクロプロセッサ（例えばＤＳＰ）等の信号処理回路から構成され、それに内蔵した記憶部に格納された制御プログラムを実行することにより各種の処理を行う。また、画像信号処理部３２にはフレームメモリ３３が接続されており、画像入力部３１からの画像信号を１フレーム（１画像画面）毎にフレームメモリ３３に記憶させるとともに、フレームメモリ３３に記憶された画像（以下「フレーム画像」ともいう。）を読み出す機能を有し、また、画像信号の解像度を液晶ライトバルブ１２の解像度に合わせる解像度変換処理等の各種の信号処理を施して投写画像用の画像信号を生成する。
【００２１】
また、この画像信号処理部３２はＯＳＤ（Ｏｎ−Ｓｃｒｅｅｎ  Ｄｉｓｐｌａｙ）処理をする機能を備えており、制御部２０の制御命令に従って、プロジェクタ１の各種状態を表す文字や記号、画質調整を行う際のメニュー画像のＯＳＤ画像信号をフレーム画像信号と合成する処理を行う。具体的には、制御部２０が例えば記憶部４４からランプ履歴メニュー画面（後述）などの各種メニュー画像データを読み出して画像信号処理部３２に供給し、画像信号処理部３２は例えばメニュー画像データによりＯＳＤ画像信号を生成し、このＯＳＤ画像信号をフレーム画像信号と合成する。なお、ＯＳＤ処理をしない場合には、フレーム画像信号がそのまま出力されることになる。上記のＯＳＤ処理によりメニュー画像が表示されると、ユーザーはメニュー画像に従ってプロジェクタ１の各部の機能を設定又は調整することになる。
【００２２】
液晶ライトバルブ駆動部１４は、入力された画像信号に応じて、液晶ライトバルブ１２Ｒ，１２Ｇ，１２Ｂを駆動する。液晶ライトバルブ１２Ｒ，１２Ｇ，１２Ｂは、それぞれ、複数の画素（図示せず）がマトリクス状に形成されており、液晶ライトバルブ駆動部１４により各画素の透過率が調整されることにより、ランプ１１から射出され、色光分離光学系（図示せず）によって各色光に分離されたＲ（赤）、Ｇ（緑），Ｂ（青）の各色光を、対応する液晶ライトバルブ１２Ｒ，１２Ｇ，１２Ｂによって変調する。液晶ライトバルブ１２Ｒ，１２Ｇ，１２Ｂから射出された画像光は、クロスダイクロイックプリズム（図示せず）などの合成光学系により合成され、投写光学系１３によってスクリーンＳＣ上に拡大投写される。
【００２３】
バラスト４０は、制御部２０からの指示に従って、ランプ１１を点灯又は消灯させるランプ駆動部であり、例えばランプ１１が高圧放電灯の場合には、始動電圧を印加する点灯回路や、適正なランプ電流を供給する安定器などにより構成される。
【００２４】
操作パネル４１は、プロジェクタ１の本体に設けられており、電源オン／オフキー、入力画像切り換え操作を行う入力切換キー、後述する点灯時間リセット操作や交換履歴の入れ替え操作、画質調整等の操作を行うメニュー画像を表示させるメニューキー、メニュー画像での項目選択操作を行う選択キー、及びプロジェクタ１の状態変更等を行うための各種スイッチ類を有し、ユーザーによるキー操作に応じた操作信号を操作信号処理部４３に入力する。
【００２５】
リモートコントローラ（以下「リモコンＲＣ」という。）は、プロジェクタ１の外部に設けられ、上記操作パネル４１と同様な各種スイッチ類や０〜９までの数字キーなどを有し、ユーザーによるキー操作に応じた操作信号を送信する。そして、リモコンＲＣからの操作信号は、リモコン受光部４２を介して操作信号処理部４３に入力される。尚、操作パネル４１又はリモコンＲＣは、本発明における操作部に相当する。
【００２６】
操作信号処理部４３は、操作パネル４１又はリモコン受光部４２からの操作信号を受信し、これを制御部２０に出力する。
【００２７】
記憶部４４は、制御部２０が実行する制御プログラム、画質調整等を行う際のメニュー画像の表示や、後述するランプ履歴メニュー画面やメッセージ画面などのＯＳＤ画像を生成するためのＯＳＤ情報を記憶するとともに、プロジェクタ１の各種設定値等を記憶する。また、後述する動作により、点灯時間の累積値情報、交換履歴テーブル（交換履歴情報）が記録される。
【００２８】
時計部５０は、例えばＲＴＣ（Ｒｅａｌ  Ｔｉｍｅ  Ｃｌｏｃｋ）により構成され、現在時刻情報を生成する。
【００２９】
電源部６０は、外部の商業電源に接続されてプロジェクタ１内の各構成部の電力供給源となるものであり、操作パネル４１又はリモコンＲＣからの電源オン／オフ操作に応じて動作する。
【００３０】
上記のような構成により本実施の形態のプロジェクタ１は、ランプ１１の点灯時間の累積値を計測し、ランプ１１が交換される度に点灯時間の履歴を記憶する動作を行う。また、点灯時間の累積値情報を、交換履歴からユーザーが選択した点灯時間と入れ替える動作を行う。このような動作の詳細について図２〜図５を用いて次に説明する。
【００３１】
図２は実施の形態１に係る点灯時間計測の動作フローチャートである。
まず、ランプ１１の点灯時間の累積値を計測する動作について図２に基づき説明する。
制御部２０は、プロジェクタ１の電源が投入されると点灯時間計測動作を開始し（Ｓ１０１）、ランプ点灯操作がされるまで待機する（Ｓ１０２）。ユーザーにより操作パネル４１又はリモコンＲＣの操作キーから、電源オンキーなどの投写を開始する旨のキーが押下されると、操作信号処理部４３は、当該操作の操作信号を受信し、この操作信号を制御部２０へ入力する。制御部２０は、入力された操作信号によりランプ点灯操作を検出し（Ｓ１０２）、バラスト４０に対してランプ１１の点灯を指示すると共に、時計部５０を参照して現在の時刻を点灯時刻として取得する（Ｓ１０３）。
【００３２】
バラスト４０は、制御部２０からの指示によりランプ１１を点灯させる。このような状態において、例えば外部接続機器２から画像入力部３１に１又は複数の入力画像信号が入力され、ユーザーから入力切換キーが操作されると、制御部２０は画像入力部３１に入力画像切り換え操作を行わせ、外部接続機器２から入力される複数の入力画像信号のうち、操作に応じた入力画像信号を選択させる。そして、制御部２０は画像信号処理部３２に対し、選択された入力画像信号を変換して投写画像用の画像信号の生成を指示する。画像信号処理部３２は、生成した画像信号を液晶ライトバルブ駆動部１４へ入力し、液晶ライトバルブ駆動部１４は、入力された画像信号に応じて、液晶ライトバルブ１２を駆動する。液晶ライトバルブ１２は、液晶ライトバルブ駆動部１４により各画素の透過率が調整されることにより、ランプ１１の光を変調して画像光を射出する。この画像光は、投写光学系１３を介してスクリーンＳＣに投射される。
【００３３】
次に、ユーザーにより操作パネル４１又はリモコンＲＣの操作キーから、電源オフキーなどの投写を終了する旨のキーが押下されると、操作信号処理部４３は、当該操作の操作信号を受信し、この操作信号を制御部２０へ入力する。制御部２０は、入力された操作信号によりランプ点灯操作を検出し（Ｓ１０４）、バラスト４０に対してランプ１１の消灯を指示すると共に、時計部５０を参照して現在の時刻を消灯時刻として取得する（Ｓ１０５）。
【００３４】
次に、制御部２０は、消灯時刻と点灯時刻との差分からランプ１１の点灯時間を算出する（Ｓ１０６）。そして、記憶部４４に記憶された当該ランプ１１の点灯時間の累積値に、算出した点灯時間を加算して当該累積値の情報を更新する（Ｓ１０７）。
【００３５】
このような動作により、ランプ１１が点灯及び消灯する度に、記憶部４４に記憶された当該点灯時間の累積値が更新されることとなる。尚、点灯時間の計測動作はこれに限らず、ランプ１１が点灯している時間を計測できれば良く、例えば、ランプ点灯制御と共に時間計測を開始し、ランプ消灯制御と共に時間計測を終了して、計測した時間を記憶された点灯時間の累積値に加算して更新しても良い。
【００３６】
図３は実施の形態１に係る点灯時間リセット及び交換履歴の入れ替え動作を示すフローチャート、図４は実施の形態１に係るランプ履歴メニューの画面表示を示す図、図５は実施の形態１に係る交換履歴テーブルの構成を示す図である。以下、点灯時間リセット及び交換履歴の入れ替え動作について、図３に基づき図４及び図５を参照しながら説明する。
【００３７】
まず、点灯時間リセットの動作について説明する。
例えばランプ１１の寿命などにより、ランプ１１を新品のランプに交換した場合には、ユーザーは本動作により、点灯時間の累積値を交換履歴として記憶させると共に、点灯時間の累積値をクリアさせる。
【００３８】
ユーザーにより操作パネル４１又はリモコンＲＣのメニューキーが押下されると、操作信号処理部４３は、メニュー表示操作の操作信号を受信し、この操作信号を制御部２０へ入力する。制御部２０は、入力されたメニュー表示操作の操作信号によりメニュー表示動作を開始し、記憶部４４に記録されたメニュー画像に関するＯＳＤ情報を画像信号処理部３２に出力する。画像信号処理部３２は、入力されたメニュー画像に関する情報に基いて、メニュー画像を表示するＯＳＤ画像信号を生成する。そして、この画像信号に基づく画像光が投写光学系１３を介して射出され、メニュー画像が投写される。
【００３９】
このようなメニュー表示の際に、ユーザーによりカーソルキー、決定キーなどが操作され、ランプ履歴メニューが選択されると、例えば図４（ａ）に示すように、「点灯時間リセット」、及び「交換履歴表示」の設定メニュー１００が投写画像に表示される（Ｓ２０１）。尚、点灯時間リセット操作は、本発明におけるランプ交換操作に相当する。
【００４０】
次に、ユーザーによるキー操作により、上述した設定メニュー１００において、「点灯時間リセット」が選択されると、制御部２０は、例えば図４（ｂ−１）に示すような確認メッセージ画面を表示させ、ユーザーにより実行が選択されると、本発明の交換検出信号に相当する点灯時間リセット操作信号が制御部２０に入力され、点灯時間リセット操作がされたと判断する（Ｓ２０２）。そして、制御部２０は、時計部５０から現在の日時を参照し、当該現在日時の情報と、記憶部４４に記憶されたランプ１１の点灯時間の累積値情報とを、記憶部４４の交換履歴テーブルに登録した後、点灯時間の累積値情報をリセットする（Ｓ２１６）。
【００４１】
この交換履歴テーブルは、ランプ１１を交換した日時と当該ランプの点灯時間の履歴を管理するもので、図５に示すように、点灯時間リセット操作を行った日時を表す「交換日時」、その交換日時における点灯時間の累積値を表す「点灯時間」の情報を管理する。即ち、上述した点灯時間リセット操作がされる度に、交換日時ごとの点灯時間が登録されることとなる。尚、交換日時の情報は、本発明における累積値の識別情報に相当する。
【００４２】
次に、制御部２０は、記憶部４４に記録された交換履歴テーブルと現在のランプ１１の点灯時間の累積値の情報とを画像信号処理部３２に取得させて、当該情報を表示するＯＳＤ画像信号を生成させる。そして、この画像信号に基づく画像光が投写光学系１３を介して射出され、例えば図４（ｂ−２）に示すような画像が投写される（Ｓ２１７）。そしてユーザーにより、現在の点灯時間と交換履歴テーブルに登録された過去の点灯時間とが確認された後、ユーザーによりメニューキーや戻るキーなどが操作されると、制御部２０はメニュー画像を表示させて点灯時間リセットの動作を終了する（Ｓ２１８）。
【００４３】
次に、交換履歴の入れ替え動作について説明する。
例えばプロジェクタ１の修理・点検などのため、ランプ１１を一旦他のランプ（新品）に交換して使用した後、再度、交換前の元のランプ１１に戻して使用する場合には、ユーザーは本動作により、交換履歴から選択した点灯時間を、当該ランプ１１の点灯時間の累積値として入れ替える。
【００４４】
ユーザーは、上述した動作と同様に、ランプ履歴メニューを表示させ、上述した設定メニュー１００から「交換履歴表示」を選択する。制御部２０は、操作信号処理部４３を介して入力された操作信号が、点灯時間リセット操作か否か、交換履歴表示操作か否かを判断し（Ｓ２０２，Ｓ２０３）、交換履歴表示操作であると判断した場合は、制御部２０は、記憶部４４に記録された交換履歴テーブルと現在のランプ１１の点灯時間の累積値の情報とを画像信号処理部３２に取得させて、当該情報を表示するＯＳＤ画像信号を生成させる。そして、この画像信号に基づく画像光が投写光学系１３を介して射出され、例えば図４（ｃ−１）に示すような画像が投写される（Ｓ２０４）。一方、点灯時間リセット操作又は交換履歴表示操作の何れでもないと判断した場合は、メニュー画像を表示させて交換履歴の入れ替え動作を終了する（Ｓ２０８）。
【００４５】
このような交換履歴表示の際に、ユーザーによりカーソルキーなどが操作されると、例えば図４（ｃ−２）に示すように、交換履歴表示のうち、任意の交換日時及び点灯時間を選択する履歴選択表示１１０が投写画像に表示される。そして、ユーザーにより決定キーなどが操作されると、制御部２０は、例えば図４（ｃ−３）に示すような、現在の点灯時間を選択された点灯時間と入れ替える旨のメッセージ画面を表示させ、ユーザーにより実行が選択されると、履歴入れ替え操作がされたと判断する（Ｓ２０５）。尚、この交換履歴表示からの選択操作及び履歴入れ替え操作は、本発明における交換履歴入替選択の操作に相当する。
【００４６】
次に、制御部２０は、交換履歴テーブルに登録された交換日時及び点灯時間から、ユーザーにより選択された交換日時における点灯時間の情報を参照し、選択された点灯時間の情報を現在のランプ１１の点灯時間の累積値の情報として記憶部４４に記憶させる。そして、交換履歴テーブルのうち、ユーザーにより選択された交換日時及び点灯時間の情報を削除する（Ｓ２０６）。
【００４７】
次に、制御部２０は、記憶部４４に記録された交換履歴テーブルと現在のランプ１１の点灯時間の累積値の情報とを画像信号処理部３２に取得させて、当該情報を表示するＯＳＤ画像信号を生成させる。そして、この画像信号に基づく画像光が投写光学系１３を介して射出され、例えば図４（ｃ−４）に示すような画像が投写される（Ｓ２０７）。そしてユーザーにより、入れ替え後の点灯時間と、更新された交換履歴テーブルの情報とが確認された後、ユーザーによりメニューキーや戻るキーなどが操作されると、制御部２０はメニュー画像を表示させて点灯時間リセットの動作を終了する（Ｓ２０８）。
【００４８】
尚、上記動作に加え、ステップＳ２０５で履歴入れ替え操作がされたと判断した後に、現在日時の情報と、記憶された点灯時間の累積値情報とを交換履歴テーブルに登録し、交換前に使用したランプの点灯時間の情報を交換履歴に保持するようにしても良い。これにより、例えば複数のランプ１１を使用する場合に、交換履歴の入れ替え動作を行っても、各ランプ１１の点灯時間の累積値を計測することができる。
【００４９】
以上のように本実施の形態１においては、ランプ１１の点灯時間の累積値を計測し、点灯時間リセット操作をする度に、交換日時及び点灯時間を交換履歴テーブルに登録し、交換履歴表示を行うことにより、過去に使用したランプ１１の点灯時間を把握することができる。これにより、例えば、ランプ１１が寿命前に切れてしまった場合などに、過去に使用したランプがどのくらい点灯していたか分かり、故障の原因がランプ１１であるのか又はランプ１１以外の回路であるのかを特定することができる。
【００５０】
また、ランプ１１にメモリを付加する必要が無いので、ランプ１１のコストを上げることなく過去に使用したランプの点灯時間を把握することができる。
【００５１】
また、交換履歴表示から選択した点灯時間を、現在の点灯時間と入れ替えることにより、ランプを交換した後、再度交換前のランプを使用する場合であっても、当該ランプの点灯時間の累積値を計測することができる。これにより、例えば修理・点検などで、一旦ランプを他のランプに交換した後、再度交換前のランプを使用する場合であっても、当該交換前のランプの点灯時間の累積値情報に戻すことができる。
【００５２】
また、交換履歴表示から選択した点灯時間を、現在の点灯時間と入れ替えたあと、交換履歴テーブルのうち、ユーザーにより選択された交換日時及び点灯時間の情報を削除するので、現在使用しているランプ１１の点灯時間の累積値情報を交換履歴テーブルから削除することができる。これにより、例えば修理・点検などで一時的に使用したランプの点灯時間の情報を削除する必要がなく利便性が向上する。
【００５３】
尚、本実施の形態１では、操作パネル４１からの点灯時間リセット操作により、点灯時間の累積値情報を交換履歴テーブルに登録し、点灯時間の累積値情報をリセットしたが、本発明はこれに限らず、点灯リセット操作に代えて、例えばスイッチなどによりランプ１１の装着状態を検出する交換検出手段を設け、ランプ１１が交換されたとき交換検出信号を制御部２０に入力して、上記点灯時間リセットの動作を行っても良い。これにより、ユーザーはランプ１１を交換する度に点灯時間リセット操作をする必要が無く、利便性を向上させることができる。
【００５４】
尚、本実施の形態１では、累積値の識別情報として交換日時の情報を用いたが、本発明はこれに限らず、交換履歴テーブルに登録した点灯時間の累積値を識別できる情報であれば良く、例えば、点灯時間の登録順に番号を付する方法や、ユーザーの操作により任意の情報を入力して点灯時間を識別しても良い。
【００５５】
尚、本実施の形態１では、液晶ライトバルブ１２を用いて、ランプ１１から射出された光を変調したが、本発明はこれに限らず、他の空間光変調器を用いても良く、例えば、半導体基板の上に敷き詰められた微小面積のミラーの傾きを画像信号に基づいて制御することによって画像を投写するＤＭＤ（Ｄｉｇｉｔａｌ  Ｍｉｃｒｏｍｉｒｒｏｒ  Ｄｅｖｉｃｅ）を用いてもよい。なお、ＤＭＤは米国テキサスインスツルメンツ社の登録商標である。
【図面の簡単な説明】
【００５６】
【図１】実施の形態１に係るプロジェクタの構成を示すブロック図である。
【図２】実施の形態１に係る点灯時間計測動作を示すフローチャートである。
【図３】実施の形態１に係る点灯時間リセット及び交換履歴の入れ替え動作を示すフローチャートである。
【図４】実施の形態１に係るランプ履歴メニューの画面表示を示す図である。
【図５】実施の形態１に係る交換履歴テーブルの構成を示す図である。
【符号の説明】
【００５７】
１  プロジェクタ、２  外部接続機器、１１  ランプ、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、３１  画像入力部、３２  画像信号処理部、３３  フレームメモリ、４０  バラスト、４１  操作パネル、４２  リモコン受光部、４３  操作信号処理部、４４  記憶部、５０  時計部、６０  電源部、１００  設定メニュー、１１０  履歴選択表示、ＲＣ  リモコン、ＳＣ  スクリーン。
【図１】
0005163139.tif 000002
【図２】
0005163139.tif 000003
【図３】
0005163139.tif 000004
【図４】
0005163139.tif 000005
【図５】
0005163139.tif 000006